(57)【特許請求の範囲】
【請求項１】
洋服のボタンホールに挿通可能な細長帯状の形状であって、耐洗紙より構成される本体部と、
前記本体部の長手方向の一方の端部の二つの角部をそれぞれ切断することで、当該二つの角部に丸みを帯びるように構成した丸み角部と、
前記本体部に、短手方向に沿って設けられた切り取り線と、
を備え、
前記切り取り線の形状が、短手方向を境にして、前記一方の端部の形状に対して対称の形状を有し、
本クリーニングタッグを前記ボタンホールに挿通してから止着するまでに要する止着時間を、長手方向の両端部の全ての角部が角状であるクリーニングタッグの止着時間と比較して短くし、
前記一方の端部を、前記ボタンホールに挿通し、前記切り取り線に合わせて、前記一方の端部の形状を、前記切り取り線の形状と一致させて、前記一方の端部を、前記本体部の一部にホッチキスで止着し、本クリーニングタッグの他方の端部側の部分を、前記切り取り線で切り取ることで、切り取られた本クリーニングタッグ側の端部が、前記一方の端部の形状と一致し、丸みを帯びて、本クリーニングタッグが前記洋服に取り付けられ、前記洋服が洗濯され、
前記一方の端部と前記切り取り線との間の本体部に印字された第一の識別情報と、
前記切り取り線と前記他方の端部との間の本体部に印字され、前記第一の識別情報と同等の情報を有する第二の識別情報と、
を更に備え、
前記本体部の長手方向の他方の端部を、他のクリーニングタッグの一方の端部の形状に対応して切り取られた凹状の形状にし、一つの片刃で前記本クリーニングタッグの他方の端部を切断すると、前記他のクリーニングタッグの一方の端部が形成されることを特徴とするクリーニングタッグ。
【請求項２】
前記本クリーニングタッグの長手方向のサイズよりも短いサイズの細長帯状の形状で、クリーニング条件が記載された補助タッグ
を更に備え、
前記補助タッグの本体部の長手方向の一方の端部の二つの角部をそれぞれ切断することで、当該二つの角部に丸みを帯びるように構成した丸み角部を有し、
前記補助タッグの本体部の長手方向の他方の端部は、二つの角部を角状としており、
前記補助タッグの他方の端部が、前記本クリーニングタッグの一方の端部の上に置かれるか、当該本クリーニングタッグの一方の端部と前記本クリーニングタッグの本体部の一部との間に置かれ、
前記置かれた補助タッグは、前記本クリーニングタッグの一方の端部及び前記本クリーニングタッグの本体部の一部とともにホッチキスで止着される
請求項１に記載のクリーニングタッグ。
【発明の詳細な説明】
【技術分野】
【０００１】
本発明は、クリーニングタッグに関する。
【背景技術】
【０００２】
従来、例えば、意匠登録第０７７１３５９号公報（特許文献１）、意匠登録第１４１５４４５号公報（特許文献２）、昭和６０年実用新案出願公開第０１７３５９号（特許文献３）には、ものや生物などに取り付ける小さな札・ラベル等の分野では、基本形状を細長帯状としたものが存在する。又、特開平４−９２００号公報（特許文献４）には、粘着剤層を設けたクリーニングタッグも存在する。
【先行技術文献】
【特許文献】
【０００３】
【特許文献１】意匠登録第０７７１３５９号公報
【特許文献２】意匠登録第１４１５４４５号公報
【特許文献３】昭和６０年実用新案出願公開第０１７３５９号
【特許文献４】特開平４−９２００号公報
【発明の概要】
【発明が解決しようとする課題】
【０００４】
クリーニング店の洗濯物には、ワイシャツの他に、ブラウスやスーツ、ポリシャツ等の洋服が存在し、クリーニング店員が洋服をクリーニングする場合は、複数の洋服を一つの洗濯機へ投入する。そのため、クリーニング店員は、識別機能を有するクリーニングタッグを洋服毎に装着することで、クリーニングの依頼者毎に洋服を識別する。クリーニング店員が洋服にクリーニングタッグを装着する場合、通常、洋服のボタンホールに、クリーニングタッグを挿通させて、クリーニングタッグの両端部を止着する。
【０００５】
ここで、従来のクリーニングタッグでは、細長帯状の両端部が角状であるため、ボタンホールに挿通するクリーニングタッグの一方の端部が、ボタンホールの縫製後の糸に引っ掛かり、クリーニング店員が、当該クリーニングタッグの一方の端部をボタンホールに挿通させ難く、手間や時間が掛かるという課題がある。
【０００６】
又、従来のクリーニングタッグでは、細長帯状の四つの角部が角状であるため、このクリーニングタッグを取り付けた洗濯物を洗濯機で洗濯している最中に、角部が洗濯物に引っ掛かり、当該洗濯物が損傷するという課題がある。
【０００７】
上述の特許文献１−４に記載の技術では、クリーニングタッグの止着形態が粘着層を利用している。粘着層を利用したクリーニングタッグでは、ボタンホール挿通時に、一方又は他方の端部に設けられた粘着層がボタンホールに粘着するおそれがあり、クリーニングタッグの挿通に時間が掛かる可能性がある。又、止着後に洗濯すると、粘着層が洗濯機の溶剤等で溶解して、止着された洋服に付着したり、他の洗濯物に付着したりして汚す可能性がある。更に、粘着層の粘着力が洗濯中の溶剤等で弱まると、クリーニングタッグが容易に外れ、洋服の行方不明の原因になる。粘着層は、クリーニング店員の止着方法によって、止着力に差異が生じ易く、経年劣化によって粘着力が弱くなる可能性がある。又、洗濯機が設置された環境は、高温多湿ですので、粘着層の粘着力を弱める原因になる。
【０００８】
そこで、本発明は、前記課題を解決するためになされたものであり、クリーニング店員の操作性に優れ、クリーニング店員の手間を軽減することが可能なクリーニングタッグを提供することを目的とする。
【課題を解決するための手段】
【０００９】
本発明に係るクリーニングタッグは、本体部と、丸み角部と、切り取り線と、を備える。本体部は、洋服のボタンホールに挿通可能な細長帯状の形状であって、耐洗紙より構成される。丸み角部は、前記本体部の長手方向の一方の端部の二つの角部をそれぞれ切断することで、当該二つの角部に丸みを帯びるように構成している。切り取り線は、前記本体部に、短手方向に沿って設けられている。前記切り取り線の形状が、短手方向を境にして、前記一方の端部の形状に対して対称の形状を有する。本クリーニングタッグを前記ボタンホールに挿通してから止着するまでに要する止着時間を、長手方向の両端部の全ての角部が角状であるクリーニングタッグの止着時間と比較して短くする。前記一方の端部を、前記ボタンホールに挿通し、前記切り取り線に合わせて、前記一方の端部の形状を、前記切り取り線の形状と一致させて、前記一方の端部を、前記本体部の一部にホッチキスで止着し、本クリーニングタッグの他方の端部側の部分を、前記切り取り線で切り取ることで、切り取られた本クリーニングタッグ側の端部が、前記一方の端部の形状と一致し、丸みを帯びて、本クリーニングタッグが前記洋服に取り付けられ、前記洋服が洗濯される。前記一方の端部と前記切り取り線との間の本体部に印字された第一の識別情報と、前記切り取り線と前記他方の端部との間の本体部に印字され、前記第一の識別情報と同等の情報を有する第二の識別情報と、を更に備える。前記本体部の長手方向の他方の端部を、他のクリーニングタッグの一方の端部の形状に対応して切り取られた凹状の形状にし、一つの片刃で前記本クリーニングタッグの他方の端部を切断すると、前記他のクリーニングタッグの一方の端部が形成される。
【００１０】
又、本発明に係るクリーニングタッグは、前記本クリーニングタッグの長手方向のサイズよりも短いサイズの細長帯状の形状で、クリーニング条件が記載された補助タッグを更に備え、前記補助タッグの本体部の長手方向の一方の端部の二つの角部をそれぞれ切断することで、当該二つの角部に丸みを帯びるように構成した丸み角部を有し、前記補助タッグの本体部の長手方向の他方の端部は、二つの角部を角状としており、前記補助タッグの他方の端部が、前記本クリーニングタッグの一方の端部の上に置かれるか、当該本クリーニングタッグの一方の端部と前記本クリーニングタッグの本体部の一部との間に置かれ、前記置かれた補助タッグは、前記本クリーニングタッグの一方の端部及び前記本クリーニングタッグの本体部の一部とともにホッチキスで止着される。
【発明の効果】
【００１１】
本発明によれば、クリーニング店員の操作性に優れ、クリーニング店員の手間を軽減することが可能となる。
【図面の簡単な説明】
【００１２】
【図１】本発明の実施形態に係るクリーニングタッグの一例を示す平面図、正面図、右側面図である。
【図２】本発明の実施形態に係るクリーニングタッグと従来のクリーニングタッグのボタンホールへの取り付けの一例を示す図である。
【図３】本発明の実施形態に係るクリーニングタッグの取り付け完了後の一例を示す図である。
【図４】本発明の実施形態に係るクリーニングタッグの丸み角部の変形例を示す図である。
【図５】本発明の実施形態に係るクリーニングタッグの第一の止着形態の一例を示す図である。
【図６】本発明の実施形態に係るクリーニングタッグの第二の止着形態の一例を示す図である。
【図７】本発明の実施形態に係るクリーニングタッグの変形例を示す図である。
【図８】本発明の実施形態に係るクリーニングタッグの第二の止着形態の応用例を示す図である。
【図９】本発明の実施形態に係るクリーニングタッグの補助タッグの一例を示す図である。
【発明を実施するための形態】
【００１３】
以下に、添付図面を参照して、本発明の実施形態について説明し、本発明の理解に供する。尚、以下の実施形態は、本発明を具体化した一例であって、本発明の技術的範囲を限定する性格のものではない。
【００１４】
本発明に係るクリーニングタッグ１は、図１に示すように、本体部１０と、丸み角部１１ａ、１１ｂと、を備える。本体部１０は、洋服（例えば、ワイシャツ）のボタンホールに挿通可能な細長帯状の形状であって、耐洗紙より構成される。又、丸み角部１１ａ、１１ｂは、前記本体部１０の長手方向の一方の端部１１の二つの角部をそれぞれ切断することで、当該二つの角部に丸みを帯びるように構成している。尚、図１のクリーニングタッグにおいて、底面図は、平面図と対称にあらわれ、背面図は、正面図と対称にあらわれ、左側面図は、右側面図と対称にあらわれるため、省略する。
【００１５】
ここで、クリーニング店員が、図２に示すように、洗濯物の洋服（例えば、ワイシャツ）に、本クリーニングタッグ１を装着させる場合、当該クリーニングタッグ１の本体部１０のうち、印字されている部分（例えば、平面部分）を表側にして、当該クリーニングタッグ１の一方の端部１１をボタンホールＨに挿通させる。すると、当該クリーニングタッグ１の一方の端部１１の角部は、丸みを帯びた丸み角部１１ａ、１１ｂであることから、当該クリーニングタッグ１の一方の端部１１が、ボタンホールＨに縫製された糸に引っ掛かることが無く、クリーニング店員が、当該クリーニングタッグ１の一方の端部１１を円滑に素早くボタンホールＨに挿通させることが可能となる。そのため、クリーニング店員の操作性を向上させる。
【００１６】
一方、従来のクリーニングタッグ２では、図２に示すように、クリーニングタッグ２の一方の端部２１の角部が角状であるため、当該クリーニングタッグ２の一方の端部２１が、ボタンホールＨの縫製後の糸に引っ掛かり、クリーニング店員が、当該クリーニングタッグ２の一方の端部２１をボタンホールＨに挿通させ難く、時間や手間が掛かる。特に、クリーニングタッグの短手方向のサイズはボタンホールＨの開口サイズと同等である場合には、上述の引っ掛かりは、特に頻発する。
【００１７】
本発明に係るクリーニングタッグ１は、前記一方の端部１１の二つの角部に丸みを帯びるように構成しているため、クリーニング店員は、丸み角部１１ａ、１１ｂを有する一方の端部１１をボタンホールＨに挿通すれば、簡単に、且つ、円滑に挿通することが出来る。
【００１８】
そして、図２、図３に示すように、クリーニング店員が、洋服ＷのボタンホールＨに挿通した後の一方の端部１１を、本体部１０側に寄せて、クリーニングタッグ１全体でループを形成し、前記一方の端部１１を、前記本体部１０の長手方向の他方の端部１２に合わせて、ホッチキスＳで止着する。
【００１９】
ここで、前記一方の端部１１と前記他方の端部１２は、ホッチキスＳによる止着であるため、クリーニング店員は、簡単にクリーニングタッグ１を前記洋服Ｗに取り付けることが可能となる。尚、止着時のホッチキスＳの針の方向に特に限定は無く、本クリーニングタッグ１の本体部１０の長手方向に沿って止着しても、短手方向に沿って止着しても良い。
【００２０】
又、本発明は、クリーニング店員の操作性に優れていることから、後述する実施例に示すように、本クリーニングタッグ１を洋服ＷのボタンホールＨに挿通してから止着するまでに要する止着時間を、長手方向の両端部の全ての角部が角状であるクリーニングタッグ（従来のクリーニングタッグ２）の止着時間と比較して短くする。これにより、クリーニング店員の手間を軽減することが可能となる。
【００２１】
特に、本発明では、一方の端部１１又は他方の端部１２に粘着層を設ける構成では無いため、例えば、ボタンホールＨへのクリーニングタッグ１の粘着層の粘着や洗濯中の粘着層の溶解、溶剤又は経年による粘着層の粘着力の低下等の不具合は存在しない。
【００２２】
又、前記一方の端部１１を前記他方の端部１２に合わせると、図３に示すように、前記一方の端部１１の丸み角部１１ａ、１１ｂが前記他方の端部１２よりも外部にはみ出て、止着後の両端部１１、１２が全体として丸みを帯びることになる。この状態で、クリーニング店員が、洗濯物Ｗを洗濯機に入れて洗濯する場合、両端部１１、１２の丸みが洗濯物Ｗに引っ掛からないため、当該洗濯物Ｗの損傷を確実に防止することが可能となる。この洗濯物Ｗの損傷は、本クリーニングタッグ１を取り付けた洗濯物であっても、当該洗濯物Ｗと一緒に洗濯機に投入される他の洗濯物Ｗであっても、防止することが出来る。
【００２３】
又、丸み角部１１ａ、１１ｂの形状に特に限定は無く、例えば、図４に示すように、一方の端部１１の角部４の直角を形成する二辺４１、４２に内接する円弧４３を描き、当該円弧４３に沿って、二つの角部４を角状（直角状）から扇状に切断しても良い。このように構成することで、ボタンホールＨへのクリーニングタッグ１の挿通を更に円滑にすることが出来る。又、クリーニングタッグ１の設計や切断加工が容易になるとともに、洗濯物Ｗに対する引っ掛かりを確実に防止出来る。
【００２４】
又、図４に示すように、一方の端部１１の二つの角部４の角状を単に切断しても良いし、二つの角部４を多角形状に切断して、二つの角部４に、多角形状な丸みを帯びるように構成しても良い。又、長軸が長手方向に沿った楕円４４に沿って、二つの角部４を切断しても、長軸が短手方向に沿った楕円４５に沿って、二つの角部４を切断しても良い。又、各角部４の形状は、全て同一であると好ましいが、異なっていても、一部同一であっても構わない。
【００２５】
ここで、本発明に係るクリーニングタッグ１は、適宜設計変更可能である。例えば、クリーニングタッグ１は、図１に示すように、前記本体部１０に、短手方向に沿って設けられた切り取り線１３（ミシン目）を更に備える。そして、後述する２種類の止着形態により、それぞれ異なる作用効果を得ることが可能となる。
【００２６】
例えば、洗濯後にクリーニングタッグ１が切り取り線１３で切り取られる第一の止着形態において、図５に示すように、前記ボタンホールＨに挿通された一方の端部１１が、前記他方の端部１２に合わされてホッチキスＳで止着された場合、洗濯後に本クリーニングタッグ１が前記切り取り線１３で切り取られる。つまり、クリーニング依頼者は、本クリーニングタッグ１が取り付けられた洗濯物Ｗを受け取った場合、前記切り取り線１３を介して本クリーニングタッグ１を千切って、ループを切断することが出来る。これにより、クリーニング依頼者が、ホッチキスＳを触らずに（外さずに）、本クリーニングタッグ１を容易に千切ることが可能となり、クリーニング依頼者の手間を軽減することが出来る。
【００２７】
又、洗濯前にクリーニングタッグ１が切り取り線１３で切り取られる第二の止着形態において、図６に示すように、前記ボタンホールＨに挿通された一方の端部１１が、前記切り取り線１３に合わされてホッチキスＳで止着された場合、本クリーニングタッグ１の他方の端部１２側の部分１４が前記切り取り線１３で切り取られることで、本クリーニングタッグ１が洗濯物Ｗに取り付けられる。つまり、洗濯物Ｗを洗濯機へ入れる前に、クリーニング店員が、クリーニングタッグ１の本体部１０から、他方の端部１２側の部分１４を切り取ることで、本クリーニングタッグ１のループを小さく形成させて、ボタンホールＨに装着される本クリーニングタッグ１の長手方向のサイズを全体として短くする。これにより、取付け後の本クリーニングタッグ１が更に洗濯物Ｗに引っ掛かり難くなり、洗濯物Ｗに対する接触率を低下させ、洗濯物Ｗの損傷を劇的に防止することが出来る。
【００２８】
又、クリーニング店員が、前記一方の端部１１を前記切り取り線１３に合わせて、他方の端部１２側の部分１４を千切ることで、図６に示すように、前記一方の端部１１の丸み角部１１ａ、１１ｂが、千切られた本クリーニングタッグ１側の端部１５よりも外部にはみ出て、止着後の両端部１１、１５が全体として丸みを帯びる。これにより、上述と同様に、止着後の両端部１１、１５の丸みが洗濯物Ｗに引っ掛かることを防止することが出来る。
【００２９】
ここで、本発明では、図１に示すように、本クリーニングタッグ１の本体部１０の表面側（平面側）に、第一の識別情報１６と、第二の識別情報１７と、を備えている。第一の識別情報１６は、前記一方の端部１１と前記切り取り線１３との間の本体部１０に印字されている。第二の識別情報１７は、前記切り取り線１３と前記他方の端部１２との間の本体部１０に印字され、前記第一の識別情報１６と同等の情報を有する。
【００３０】
前記第一の識別情報１６及び第二の識別情報１７の種類に特に限定は無く、文字、図形、記号、これらの組み合わせを挙げることが出来る。例えば、第一の識別情報１６は、「本店（３）４８０  本店」であり、第二の識別情報１７は、第一の識別情報１６の一部の「本店（３）４８０」である。
【００３１】
そして、図６に示すように、洗濯前に、他方の端部１２側の部分１４が、前記切り取り線１３で切り取られた場合、洗濯物Ｗのクリーニングの依頼者の伝票６に取り付けられる。つまり、クリーニング店員は、洗濯物Ｗに取り付けられた本クリーニングタッグ１から、他方の端部１２側の部分１４を千切った後に、当該他方の端部１２側の部分１４を、洗濯物Ｗのクリーニングの依頼者の伝票６に取り付ける。前記他方の端部１２側の部分１４は、例えば、ホッチキスＳにより伝票６に止着される。
【００３２】
これにより、洗濯物Ｗに装着された本クリーニングタッグ１の第一の識別情報１６（「本店（３）４８０」）は、伝票６に止着された前記他方の端部１２側の部分１４の第二の識別情報１７（「本店（３）４８０」）と対応付けることが出来る。そのため、クリーニング店員は、クリーニングタッグ１を洗濯物Ｗに取り付けた後に、当該クリーニングタッグ１の識別情報を伝票６に書き込んだり、当該クリーニングタッグ１及び伝票６に予め設けられたバーコードをバーコードリーダーで読み取ったりする作業をする必要が無く、クリーニング店員の手間を更に軽減することが出来る。
【００３３】
特に、本発明では、クリーニング店員は、本クリーニングタッグ１から切り取った他方の端部１２側の部分１４を、直ぐに伝票６に取り付ければ、洗濯物Ｗと伝票６とを確実に関連付けることが出来るため、洋服の行方不明等を確実に防止出来る。
【００３４】
ここで、他方の端部１２の形状に特に限定は無い。例えば、第一の止着形態、第二の止着形態において、図７（Ａ）に示すように、一方の端部１１の二つの角部と同様に、他方の端部１２の二つの角部を、それぞれ切断することで、当該二つの角部に丸みを帯びるように構成した丸み角部１２ａ、１２ｂを設けても良い。これにより、本クリーニングタッグ１の取付の際に、一方の端部１１を他方の端部１２に合わせると、洗濯物Ｗの表面に現れるクリーニングタッグ１の両端部１１、１２は、全体として丸みを帯びることから、洗濯中における両端部１１、１２の引っ掛かりを確実に防止することが出来る。
【００３５】
又、第二の止着形態において、洗濯前に、他方の端部１２側の部分１４は、切り取り線１３により切り取られ、洗濯物Ｗに残らずに、伝票５に取り付けられることから、どのような形状でも良い。例えば、図７（Ｂ）に示すように、第一のクリーニングタッグ７１の他方の端部１２を、第二のクリーニングタッグ７２の一方の端部１１の形状に対応して切り取られた凹状の形状にしても良い。クリーニングタッグは、通常、一枚の耐洗紙に対してクリーニングタッグの周縁の形状に対応する片刃で押し切りされることから、一つの片刃で第一のクリーニングタッグ７１の他方の端部１２を切断すると、第二のクリーニングタッグ７２の一方の端部１１が形成され、クリーニングタッグ１の生産性が向上する。
【００３６】
更に、第二の止着形態において、切り取り線１３の形状に特に限定は無い。例えば、図７（Ｃ）に示すように、前記切り取り線１３の形状が、（短手方向を境にして）前記丸み角部１１ａ、１１ｂを含む一方の端部１１の形状に対して対称の形状を有する。これにより、図８に示すように、クリーニング店員が、挿通後の一方の端部１１を折り曲げて、本体部１０側に寄せれば、一方の端部１１の形状と切り取り線１３の形状とはほぼ一致し、重ね合わせることが可能となる。そして、クリーニング店員が、前記一方の端部１１を前記本体部１０の一部にホッチキスＳで止着し、前記切り取り線１３から、前記他方の端部１２側の部分１４を切り取る。すると、図８に示すように、切り取られた本クリーニングタッグ１側の端部１５は、切り取り線１２の形状と一致し、丸み角部１１ａ、１１ｂを有する一方の端部１１と同様の形状となり、丸みを帯びる。この状態では、丸みを帯びるクリーニングタッグ１の一方の端部１１及び本クリーニングタッグ１側の端部１５が、洗濯物Ｗの表面に現れることから、更に、洗濯物Ｗへの引っ掛かりや損傷を確実に防止することが出来る。
【００３７】
尚、前記他方の端部１２の形状は、例えば、前記一方の端部１１の形状と同等程度に対称の形状であれば良く、略円弧状でも、略直線状でも良い。又、第一の止着形態及び第二の止着形態において、切り取り線１３の位置に特に限定は無い。例えば、図１に示すように、他方の端部１２側の位置に設けても、本体部１０の長手方向の中央近傍の位置に設けても、一方の端部１１側の位置に設けても良い。
【００３８】
又、本クリーニングタッグ１の表面には、第一の識別情報１６、第二の識別情報１７の他に、管理用のバーコードが印字されても良いし、氏名、タッグ番号、担当者、場所、後処理、金額等の必要事項が印刷又は記入されても良い。ここで、バーコードは、例えば、第一の識別情報１６、第二の識別情報１７にそれぞれ含めてもよく、例えば、図７（Ｄ）に示すように、同一のバーコード１８を、第一の識別情報１６、第二の識別情報１７にそれぞれ設けても構わない。
【００３９】
又、本クリーニングタッグ１の表面には、図７（Ｄ）に示すように、一方の端部１１の折り曲げ等の目安となる目安線（折り曲げ線）１９が設けられても良い。例えば、本クリーニングタッグ１の一方の端部１１から切り取り線１３までのサイズＬ１２が、本クリーニングタッグ１の全体のサイズＬの３分の２であり、本クリーニングタッグ１の切り取り線１３から他方の端部１２までのサイズＬ２３が、本クリーニングタッグ１の全体のサイズＬの３分の１である場合、目安線１９は、本クリーニングタッグ１の一方の端部１１から切り取り線１２までの本体部１０の中央近傍に設けられる。
【００４０】
又、他方の端部１２が丸み角部１２ａ、１２ｂを有する場合、第一の止着形態における一方の端部１１の止着位置に特に限定は無い。例えば、第一の止着形態における一方の端部１１の止着位置は、前記他方の端部１２と前記切り取り線１３との間の本体部１０の所定位置となる。この場合は、丸みを帯びる一方の端部１１、他方の端部１２のいずれかが外部に露出することから、洗濯物Ｗに対する損傷を確実に防止出来る。
【００４１】
又、切り取り線１３の形状が一方の端部１１の形状に対して対称の形状を有する場合、第二の止着形態における一方の端部１１の止着位置に特に限定は無い。例えば、第二の止着形態における一方の端部１１の止着位置は、前記一方の端部１１と前記切り取り線１３との間の本体部１０の所定位置となる。この場合は、他方の端部１２側の部分１４が切り取られた際に、切り取られた本クリーニングタッグ１側の端部１５は丸みを帯び、一方の端部１１、本クリーニングタッグ１側の端部１５のいずれかが外部に露出することから、上述と同様に、洗濯物Ｗに対する損傷を確実に防止出来る。
【００４２】
ところで、本クリーニングタッグ１の一方の端部１１は、補助タッグとともにホッチキスＳで止着されても良い。例えば、図９に示すように、補助タッグ９は、本クリーニングタッグ１の長手方向のサイズよりも短いサイズの細長帯状の形状のタッグである。この補助タッグ９は、本クリーニングタッグ１の一方の端部１１と同様に、補助タッグ９の本体部９０の長手方向の一方の端部９１の二つの角部をそれぞれ切断することで、当該二つの角部に丸みを帯びるように構成した丸み角部を有する。一方、補助タッグ９の本体部９０の長手方向の他方の端部９２は、二つの角部を角状としている。この補助タッグ９の他方の端部９２が、図９に示すように、本クリーニングタッグ１の一方の端部１１の上に置かれるか、当該一方の端部１１と、本クリーニングタッグ１の本体部１０の一部との間に置かれる。そして、置かれた補助タッグ９は、一方の端部１１、本体部１０の一部とともにホッチキスＳで止着される。補助タッグ９の表面には、クリーニングの条件、例えば、「はっ水」、「抗菌」、「薄のり」、「防虫」、「しわ加工」、「Ｙハンガー仕上」、「折目なし」、「ワンデー」、「のりなし」、「急  日  時」、「たたみ」、「固のり」、「連絡」等が記載される。これにより、補助タッグ９を介して、クリーニング条件を本クリーニングタッグ１に関連付けて、クリーニング店員以外のクリーニングを実行するクリーニング業者に、クリーニング条件を適切に指示することが可能となる。
【００４３】
尚、補助タッグ９のサイズや形状に特に限定は無く、例えば、両面印刷された、短手方向のサイズが幅広で、両端部に丸み角部を有する補助タッグ９でも良い。これにより、クリーニング業者にクリーニング条件を木目細かく指示することが可能となる。
【実施例】
【００４４】
以下、実施例、比較例等によって本発明を具体的に説明するが、本発明はこれにより限定されるものではない。
【００４５】
＜実施例１、比較例１＞
図１、図２に示す本発明に係るクリーニングタッグ１を実施例１のクリーニングタッグとした。又、図２に示す従来のクリーニングタッグ２（長手方向の両端部の全ての角部が角状であるクリーニングタッグ）を比較例１のクリーニングタッグとした。
【００４６】
＜評価方法＞
複数のワイシャツのボタンホールにそれぞれクリーニングタッグを挿通してから止着する試験を実施した。この試験では、１０枚のワイシャツ（多種）のボタンホールに特定の種類（実施例１か比較例１）のクリーニングタッグをそれぞれ挿通してから止着までに要する時間（止着時間）を、実施例１のクリーニングタッグと、比較例１のクリーニングタッグとでそれぞれ測定した。
【００４７】
実施例１のクリーニングタッグにおける止着時間と、比較例１のクリーニングタッグにおける止着時間とを比較して、止着時間が短いクリーニングタッグは操作性が良いと判断する。又、止着時間が短ければ、単位時間当たりに止着出来るクリーニングタッグの数は多くなるから、止着時間が短いクリーニングタッグは生産性が良いと判断する。個人差があるため、異なる二人（Ａ氏、Ｂ氏）で試験を実施した。
【００４８】
＜評価結果＞
試験の結果、Ａ氏の場合、実施例１のクリーニングタッグにおける止着時間が２分２０秒であるのに対し、比較例１のクリーニングタッグにおける止着時間が２分３７秒であった。又、Ｂ氏の場合、実施例１のクリーニングタッグにおける止着時間が２分３４秒であるのに対し、比較例１のクリーニングタッグにおける止着時間が３分８秒であった。つまり、両者とも、実施例１のクリーニングタッグにおける止着時間が短く、操作性、生産性が良いことが分かる。
【００４９】
又、Ａ氏、Ｂ氏に、クリーニングタッグの操作性について感想を聞くと、二人とも共通して、一方の端部の角部が丸い実施例１のクリーニングタッグの方が、一方の端部の角部が角状の比較例１のクリーニングタッグと比較して、断然、スムーズに、引っ掛かりも無く、ワイシャツのボタンホールに挿通出来て、止着も容易であるとのことであった。
【００５０】
従って、実施例１のクリーニングタッグの機能性は、比較例１のクリーニングタッグと比較して優れていると思料する。
【産業上の利用可能性】
【００５１】
以上のように、本発明に係るクリーニングタッグは、ワイシャツを含む洋服のボタンホールに取り付けるクリーニングタッグとして有用であり、クリーニング店員の操作性に優れ、クリーニング店員の手間を軽減することが可能なクリーニングタッグとして有効である。
【符号の説明】
【００５２】
１  クリーニングタッグ
１０  本体部
１１  一方の端部
１２  他方の端部
１３  切り取り線
１４  切り取られた他方の端部側の部分
１５  切り取られた本クリーニングタッグ側の端部
１６  第一の識別情報
１７  第二の識別情報
Ｗ  洗濯物
Ｈ  ボタンホール
Ｓ  ホッチキス
【要約】      （修正有）【課題】ボタンホールに挿通してから止着するまでに要する止着時間を短くすることができるクリーニングタッグを提供する。【解決手段】本体部１０は、洋服のボタンホールに挿通可能な細長帯状の形状であって、耐洗紙より構成される。丸み角部１１ａ、１１ｂは、本体部の長手方向の一方の端部の二つの角部をそれぞれ切断することで、二つの角部に丸みを帯びるように構成している。一方の端部１１が、ボタンホールに挿通され、本体部の長手方向の他方の端部に合わされてホッチキスで止着されることで、クリーニングタッグが洋服に取り付けられる。【選択図】図１【図１】
0005967505.tif 000002
【図２】
0005967505.tif 000003
【図３】
0005967505.tif 000004
【図４】
0005967505.tif 000005
【図５】
0005967505.tif 000006
【図６】
0005967505.tif 000007
【図７】
0005967505.tif 000008
【図８】
0005967505.tif 000009
【図９】
0005967505.tif 000010